(57)【要約】【課題】  静電容量検出用の電極部を簡単に設けることができる電子機器を提供する。【解決手段】  合成樹脂製の腕時計ケース１内に収納された時計モジュール３が、静電容量の変化を検出する検出回路を有する回路基板７を備え、腕時計ケース１の内面に静電容量検出用の電極部１２〜１５を回路基板７の検出回路と電気的に接続させて配置する。従って、腕時計ケース１の内面に電極部１２〜１５を簡単に設けることができると共に、電極部１２〜１５に対応する腕時計ケース１の外面に指を接触させると、電極部１２〜１５に静電容量が結合され、その静電容量の変化を検出回路で検出することにより、タッチスイッチ信号を得ることができる。【選択図】        図２
2007170994.tif 000002
【特許請求の範囲】
【請求項１】
合成樹脂製の機器ケースと、
この機器ケース内に収納されたモジュールと、
このモジュールに設けられて少なくとも静電容量の変化を検出する検出回路を有する回路基板と、
前記機器ケースの内面に配置されて前記回路基板の前記検出回路と電気的に接続された静電容量検出用の電極部と、
を備えたことを特徴とする電子機器。
【請求項２】
前記電極部は、金属部材であり、前記機器ケースの内面に設けられた凹部に嵌め込まれ、この状態で前記回路基板に設けられた接点板が接触して前記検出回路と電気的に接続されていることを特徴とする請求項１に記載の電子機器。
【請求項３】
前記電極部は、金属板を折り曲げて、その一部に板ばね部を設けた構成で、前記機器ケースの内面に設けられた凹部内に嵌め込まれ、この状態で前記板ばね部が前記回路基板に設けられた接続部に接触して前記検出回路と電気的に接続されていることを特徴とする請求項１に記載の電子機器。
【請求項４】
前記機器ケースの外面には、タッチ部が前記電極部と対応して設けられていることを特徴とする請求項１〜３のいずれかに記載の電子機器。
【請求項５】
前記電極部は、前記回路基板に設けられて前記検出回路と電気的に接続された状態で前記機器ケースの内面に対向して配置され、前記機器ケースの外面には凹部が前記電極部に対応して設けられ、この凹部には金属片が前記機器ケースの外部に露出して嵌め込まれていることを特徴とする請求項１に記載の電子機器。
【請求項６】
前記電極部は、前記機器ケースの内面における複数箇所に設けられてそれぞれ前記回路基板の前記検出回路と電気的に接続されていることを特徴とする請求項１〜５のいずれかに記載の電子機器。
【発明の詳細な説明】
【技術分野】
【０００１】
この発明は、電子腕時計、携帯電話機、ＰＤＡ（パーソナル・デジタル・アシスタント）などの電子機器に関する。
【背景技術】
【０００２】
例えば、電子機器である電子腕時計においては、特許文献１に記載されているように、金属製の時計ケース内に時計モジュールを収納する共に、時計ケースの上部に時計ガラスを設け、この時計ガラスの裏面にタッチスイッチ用の透明電極を設け、時計モジュールにタッチスイッチの静電容量変化を検出する検出素子を設け、この検出素子に時計ガラスの透明電極を接続することにより、金属製の時計ケースをタッチスイッチの一方の電極とし、時計ガラスの裏面に設けられた透明電極をタッチスイッチの他方の電極とする容量素子を構成し、この状態で時計ガラスに指などの人体の一部を接触させたときに、容量素子の静電容量変化を検出素子によって検出してスイッチ信号を取り出すタッチスイッチを備えたものがある。
【特許文献１】実開昭５２−１６４５６５号
【発明の開示】
【発明が解決しようとする課題】
【０００３】
しかしながら、このような従来の電子腕時計では、タッチスイッチの一方の電極である透明電極を時計ガラスの裏面に設ける場合、ＩＴＯなどの透明な導電材料を蒸着やスパッタリングによって時計ガラスの裏面に堆積させることにより、時計ガラスの裏面に透明な導電膜を形成し、この透明な導電膜をエッチングによって所定形状の透明な電極に形成しなければならないため、透明な電極を時計ガラスに形成する作業が煩雑で面倒であるという問題がある。
【０００４】
また、このような従来の電子腕時計では、タッチスイッチの一方の電極である透明電極が時計ガラスの裏面に設けられているため、時計ケース内に収納された時計モジュールの検出素子と時計ガラスの裏面の透明電極とを電気的に接続する場合、検出素子と透明電極との間に接続部材を設けなければ、両者を電気的に接続することができないので、部品点数が増えるばかりか、接続構造も複雑で、接続作業も面倒であるという問題がある。
【０００５】
特に、時計ガラスの裏面の透明電極と時計モジュールの検出素子とを電気的に接続する場合には、その接続部分が時計ガラスを通して外部から見えてしまうため、時計ケースの外面にベゼルなどの外装カバーを設け、この外装カバーを時計ガラスの外周縁から中心部に向けて突出させることにより、時計ガラスの裏面の透明電極と時計モジュールの検出素子との接続部分を隠す必要がある。このため、時計ケース内に組み込まれた表示部の一部が外装カバーによって隠れてしまい、外部から見える表示部の表示面積が狭くなり、十分な表示面積を確保することができないという問題もある。
【０００６】
この発明が解決しようとする課題は、静電容量検出用の電極部を簡単に設けることができる電子機器を提供することである。
【課題を解決するための手段】
【０００７】
この発明は、上記課題を解決するために、次のような構成要素を備えている。
なお、各構成要素には、後述する各実施形態の項で説明される各要素に付されている図面の参照番号などを括弧と共に付す。
【０００８】
請求項１に記載の発明は、図１〜図９に示すように、合成樹脂製の機器ケース（腕時計ケース１）と、この機器ケース内に収納されたモジュール（時計モジュール３）と、このモジュールに設けられて少なくとも静電容量の変化を検出する検出回路を有する回路基板（７）と、前記機器ケースの内面に配置されて前記回路基板の前記検出回路と電気的に接続された静電容量検出用の電極部（１２〜１５、３１〜３４、４１〜４４、５１〜５４）と、を備えたことを特徴とする電子機器である。
【０００９】
請求項２に記載の発明は、図１〜図３に示すように、前記電極部（１２〜１５）は、金属部材（金属製のビス）であり、前記機器ケース（腕時計ケース１）の内面に設けられた凹部（ねじ穴１６ａ〜１６ｄ）に嵌め込まれ、この状態で前記回路基板（７）に設けられた接点板（１７）が接触して前記検出回路と電気的に接続されていることを特徴とする請求項１に記載の電子機器である。
【００１０】
請求項３に記載の発明は、図４〜図７に示すように、前記電極部（３１〜３４、４１〜４４）が、金属板を折り曲げて、その一部に板ばね部（３１ａ〜３４ａ、４１ａ〜４４ａ）を設けた構成で、前記機器ケース（腕時計ケース１）の内面に設けられた凹部（３０ａ〜３０ｄ、４０ａ〜４０ｄ）内に嵌め込まれ、この状態で前記板ばね部が前記回路基板（７）に設けられた接続部（電極パッド３６、４５）に接触して前記検出回路と電気的に接続されていることを特徴とする請求項１に記載の電子機器である。
【００１１】
請求項４に記載の発明は、図１〜図７に示すように、前記機器ケース（腕時計ケース１）の外面に、タッチ部（１８）が前記電極部（１２〜１５、３１〜３４、４１〜４４）と対応して設けられていることを特徴とする請求項１〜３のいずれかに記載の電子機器である。
【００１２】
請求項５に記載の発明は、図８および図９に示すように、前記電極部（５１〜５４）が、前記回路基板（７）に設けられて前記検出回路と電気的に接続された状態で前記機器ケース（腕時計ケース１）の内面に対向して配置され、前記機器ケースの外面には凹部（５０ａ〜５０ｄ）が前記電極部に対応して設けられ、この凹部には金属片（５５）が前記機器ケースの外部に露出して嵌め込まれていることを特徴とする請求項１に記載の電子機器である。
【００１３】
請求項６に記載の発明は、図１〜図９に示すように、前記電極部（１２〜１５、３１〜３４、４１〜４４、５１〜５４）が、前記機器ケース（腕時計ケース１）の内面における複数箇所に設けられてそれぞれ前記回路基板（７）の前記検出回路と電気的に接続されていることを特徴とする請求項１〜５のいずれかに記載の電子機器である。
【発明の効果】
【００１４】
請求項１に記載の発明によれば、合成樹脂製の機器ケース内に収納されたモジュールが、少なくとも静電容量の変化を検出する検出回路を有する回路基板を備え、機器ケースの内面に静電容量検出用の電極部を回路基板の検出回路と電気的に接続して配置しているので、電極部に対応する機器ケースの外表面に、指などの人体の一部を接触させると、電極部に結合される静電容量の変化を回路基板の検出回路で検出することにより、タッチスイッチ信号を得ることができる。
【００１５】
この場合には、機器ケースの内面に静電容量検出用の電極部を設けているので、従来例のように透明電極を時計ガラスの裏面に形成する場合に比べて、電極部を簡単に設けることができると共に、電極部と検出回路とを電気的に接続する際、電極部が回路基板に接近しているので、電極部と回路基板とを容易に接続することができる。このため、従来例に比べて接続構造が簡単で、接続作業も容易にできる。特に、機器ケースの内面に静電容量検出用の電極部を設けているので、電極部と回路基板との接続部分が表示窓部などを通して機器ケースの外部から見えないので、接続部分を隠す必要がない。このため、接続部分によってモジュールの表示部の表示面積が制約を受けることがなく、十分な広さの表示面積を確保することができる。
【００１６】
請求項２に記載の発明によれば、電極部は、金属部材であり、機器ケースの内面に設けられた凹部に嵌め込まれ、この状態で回路基板に設けられた接点板が接触して検出回路と電気的に接続されていることにより、金属部材である電極部を機器ケースの内面に設けられた凹部内に嵌め込むだけで、簡単に電極部を機器ケースの内面に取り付けることができると共に、その電極部に回路基板の接点板を接触させるだけで、電極部を回路基板の検出回路と電気的に接続することができるので、電気的な接続作業も容易にできる。
【００１７】
この場合、特に機器ケースの内面に凹部を設け、この凹部内に金属部材からなる電極部を嵌め込んでいるので、電極部と機器ケースの外表面との間の距離を短くすることができる。このため、静電容量変化を大きくすることができ、これにより静電容量の変化を検出しやすくすることができるので、正確に且つ確実にタッチスイッチ信号を得ることができる。
【００１８】
請求項３に記載の発明によれば、電極部が、金属板を折り曲げて、その一部に板ばね部を設けた構成で、機器ケースの内面に設けられた凹部内に嵌め込まれ、この状態で板ばね部が回路基板に設けられた接続部に接触して検出回路と電気的に接続されていることにより、金属板を折り曲げてなる電極部を機器ケースの内面に設けられた凹部内に嵌め込むだけで、簡単に電極部を機器ケースの内面に取り付けることができると共に、その電極部である金属板に設けられた板ばね部を回路基板の接続部に接触させるだけで、電極部を回路基板の検出回路と電気的に接続することができるので、電気的な接続作業も容易にできる。
【００１９】
この場合にも、機器ケースの内面に凹部を設け、この凹部内に金属板からなる電極部を嵌め込んでいるので、請求項２に記載の発明と同様、電極部と機器ケースの外表面との間の距離を短くすることができる。このため、静電容量変化を大きくすることができ、これにより静電容量の変化を検出しやすくすることができるので、正確に且つ確実にタッチスイッチ信号を得ることができる。
【００２０】
請求項４に記載の発明によれば、機器ケースの外面に、タッチ部が電極部と対応して設けられていることにより、電極部が機器ケースの外部から見えなくても、タッチ部によって電極部の位置を視認することができるので、電極部に対応する機器ケースの外面に指などの人体の一部を機器ケースの外面に接触させるときに、その接触させる位置を確認することができ、これによりタッチ操作性の向上を図ることができると共に、使い勝手の良いものを得ることができる。
【００２１】
請求項５に記載の発明によれば、電極部が、回路基板に設けられて検出回路と電気的に接続された状態で、機器ケースの内面に対向して配置され、この機器ケースの外面に凹部が電極部に対応して設けられ、この凹部内に金属片が機器ケースの外部に露出した状態で嵌め込まれていることにより、回路基板を機器ケース内に組み込むだけで、回路基板に設けられた電極部を簡単に設けることができると共に、電極部と回路基板の検出回路との電気的な接続も容易にできる。また、電極部に対応して設けられた金属片が機器ケースの外部に露出しているので、使用者が指などの人体の一部を機器ケースの外面に接触させるときに、その接触させる位置を視認することができ、これによりタッチ操作性の向上を図ることができると共に、使い勝手の良いものを得ることができる。
【００２２】
この場合にも、機器ケースの外面に凹部が電極部に対応して設けられ、この凹部内に金属片が嵌め込まれているので、機器ケースの内面に対向する電極部と機器ケースの外部に露出する金属片との間の距離を短くすることができる。このため、請求項２または３に記載の発明と同様、静電容量変化を大きくすることができ、これにより静電容量の変化を検出しやすくすることができるので、正確に且つ確実にタッチスイッチ信号を得ることができる。
【００２３】
請求項５に記載の発明によれば、電極部が機器ケースの内面における複数箇所に設けられてそれぞれ回路基板の検出回路と電気的に接続されていることにより、機器ケースの内面における複数箇所に設けられた複数の電極部のいずれかに対応する機器ケースの外表面面を、指などの人体の一部で触れることにより、静電容量の変化を回路基板の検出回路で検出することができるので、タッチ操作性が良く、これによっても使い勝手の良いものを得ることができる。
【発明を実施するための最良の形態】
【００２４】
（実施形態１）
以下、図１〜図３を参照して、この発明を電子腕時計に適用した実施形態１について説明する。
図１はこの発明の電子腕時計の断面図、図２は図１のＡ−Ａ矢視における断面図である。
この電子腕時計は、図１に示すように、合成樹脂製の腕時計ケース１を備えている。この腕時計ケース１の上部には時計ガラス２が取り付けられており、この腕時計ケース１の内部には時計モジュール３が収納されている。また、この腕時計ケース１の下面には、裏蓋４が取り付けられている。
【００２５】
時計モジュール３は、図１に示すように、上部ハウジング５と下部ハウジング６とを備えている。上部ハウジング５と下部ハウジング６との間には、回路基板７が設けられている。この回路基板７には、ＬＳＩ８および検出素子９などの時計機能に必要な各種の電子部品が搭載されている。この場合、検出素子９は、後述するタッチスイッチの静電容量の変化を検出するためのものである。
【００２６】
また、上部ハウジング５には、表示パネル１０が回路基板７と電気的に接続された状態で時計ガラス２に対応して配置されており、下部ハウジング６には、電池１１が回路基板７と電気的に接続された状態で収納されている。この場合、表示パネル１０は、液晶表示素子、ＥＬ（エレクトロ・ルミネッセンス）素子、電子ペーパー（微細なカプセルをフィルムに敷き詰め、カプセル内の黒と白の微粒子を電気で移動させて文字や絵などの情報を表示するものである）などの平面型の表示素子からなり、時刻などの情報を電気光学的に表示するように構成されている。
【００２７】
ところで、合成樹脂製の腕時計ケース１の内面には、図２に示すように、複数の電極部１２〜１５が設けられている。この複数の電極部１２〜１５は、それぞれ金属製のビスであり、腕時計ケース１の２時、４時、８時、１０時に対応する箇所の内面にそれぞれ設けられたねじ穴１６ａ〜１６ｄに螺入し、これにより腕時計ケース１の内面に埋め込まれている。また、複数の電極部１２〜１５は、時計モジュール３の回路基板７における２時、４時、８時、１０時に対応する箇所の縁部にそれぞれ設けられた接点板１７が弾接し、これにより回路基板７と電気的に接続されている。この複数の接点板１７は、それぞれ回路基板７の後述する検出回路と電気的に接続されている。
【００２８】
また、この腕時計ケース１における２時、４時、８時、１０時に対応する箇所の外面には、図２に示すように、タッチ部１８が複数の電極部１２〜１５にそれぞれ対応して設けられている。
【００２９】
次に、図３を参照して、この電子腕時計のタッチスイッチの回路構成について説明する。
複数の電極部１２〜１５とこれに対応する複数のタッチ部１８との間にそれぞれタッチスイッチ用のコンデンサＣ１〜Ｃ４が形成され、複数の電極部１２〜１５にそれぞれ対応するタッチ部１８を指などの人体の一部で触ると、各コンデンサＣ１〜Ｃ４に静電容量が発生する。一方、静電容量の変化を検出する検出素子９の検出回路は、ＣＲ発振回路２１〜２４、カウンタ２５、タイマー２６、制御回路２７を備えている。そして、通常の状態、つまり指などの人体の一部がタッチ部１８に接触していない状態では、ＣＲ発振回路２１〜２４がそれぞれ内臓容量Ｃｉ１〜Ｃｉ４と内臓抵抗Ｒｉ１〜Ｒｉ４とで決まる周波数で発振する。
【００３０】
また、指などの人体の一部が、複数のタッチ部１８のうち、例えば図３において電極部１２に対応するタッチ部１８に接触すると、電極部１２とタッチ部１８との間のコンデンサＣ１に静電容量Ｃｔが発生する。また、このときには、人体とグランドＧ１とは静電容量Ｃｅで結合していると考えられるため、電極部１２には、静電容量Ｃｔと静電容量Ｃｅとの合成容量が結合される。したがって、ＣＲ発振回路２１の静電容量Ｃが、ＣｔとＣｅの合成容量および内臓容量Ｃｉの並列容量となる。つまり、タッチ部１８を指で触ると、ＣＲ発振回路２１の静電容量Ｃは、ＣｔとＣｅの合成容量分が増え、周波数が遅くなる。この周波数の変化を拾うことで、電極部１２に対応するタッチ部１８に指が触れてタッチスイッチがオンしたと判断し、通常のキー入力と同じ動作に移る。
【００３１】
この場合、電極部１２以外の各電極部１３〜１５にそれぞれ対応するタッチ部１８に指などの人体の一部が接触したときも、上記と同様、ＣＲ発振回路２２〜２４の各静電容量Ｃはそれぞれ、ＣｔとＣｅの合成容量分が増え、周波数が遅くなる。この周波数の変化を拾うことで、電極部１３〜１５に対応する各タッチ部１８に指が触れてタッチスイッチがオンしたと判断し、通常のキー入力と同じ動作に移る。
【００３２】
また、ＣＲ発振回路２１〜２４の周波数を見るには、ＣＲ発振回路２１〜２４の出力をオアゲート２８を介してカウンタ２５に与え、一定時間の間にＣＲ発振回路２１〜２４の出力が何カウントするかを測定すればよい。このため、一定時間をタイマー２６で作り、ＣＲ発振回路２１〜２４の出力をカウンタ２５でカウントする。このときには、制御回路２７からの信号ａによってカウンタ２５がカウントを開始すると共にタイマー２６がスタートする。タイマー２６は一定時間カウントすると、信号ｂを出力してカウンタ２５のカウントを停止させる。そのときのカウンタ２５のデータが制御回路２７に読み込まれ、基準値と比較して小さいときに、キー入力信号ｃを出力する。
【００３３】
このように、この電子腕時計によれば、合成樹脂製の腕時計ケース１内に収納された時計モジュール３が、静電容量の変化を検出する検出回路を有する回路基板７を備え、腕時計ケース１の内面に複数の電極部１２〜１５をそれぞれ回路基板７の検出回路と電気的に接続させて設けているので、複数の電極部１２〜１５に対応する腕時計ケース１の外面に設けられた複数のタッチ部１８のいずれかに指などの人体の一部を接触させると、電極部１２〜１５のうちのいずれかの静電容量が変化し、その静電容量の変化を回路基板７の検出回路で検出することにより、タッチスイッチ信号を得ることができる。
【００３４】
この場合には、腕時計ケース１の内面に静電容量検出用の複数の電極部１２〜１５を設けているので、従来例と比べて、電極部１２〜１５を簡単に設けることができると共に、この電極部１２〜１５と回路基板７とを容易に接続することができる。すなわち、複数の電極部１２〜１５は、金属製のビスからなり、腕時計ケース１の内面に設けられたねじ穴１６ａ〜１６ｄ内に螺入させるだけで、簡単に電極部１２〜１５を腕時計ケース１の内面に取り付けることができる。また、この状態では、電極部１２〜１５が回路基板７に接近して配置されるので、回路基板７に設けられた各接点板１７を電極部１２〜１５に簡単に接触させることができ、これにより電極部１２〜１５と回路基板７との電気的な接続作業が容易にできる。
【００３５】
特に、腕時計ケース１の内面にねじ穴１６ａ〜１６ｄを設け、このねじ穴１６ａ〜１６ｄ内に金属製のビスからなる電極部１２〜１５をそれぞれ嵌め込んでいるので、電極部１２〜１５と腕時計ケース１の外表面との間の距離を短くすることができる。このため、静電容量変化を大きくすることができ、これにより静電容量の変化を検出しやすくすることができるので、正確に且つ確実にタッチスイッチ信号を得ることができる。
【００３６】
また、腕時計ケース１の外面には、複数のタッチ部１８が電極部１２〜１５にそれぞれ対応して設けられているので、この複数のタッチ部１８によって使用者が指などの人体の一部を腕時計ケース１の外面に接触させるときに、その接触位置を視認することができ、これによりタッチ操作性が良く、使い勝手の良いものを得ることができる。特に、複数の電極部１２〜１５が腕時計ケース１の複数箇所に設けられてそれぞれ回路基板７と電気的に接続されていることにより、複数の電極部１２〜１５と対応するいずれかのタッチ部１８に指などの人体の一部を接触させることにより、静電容量の変化を検出回路で検出することができるので、これによってもタッチ操作性が良く、使い勝手の良いものを得ることができる。
【００３７】
さらに、この電子腕時計では、腕時計ケース１の内面に静電容量検出用の複数の電極部１２〜１５を設けていることにより、この複数の電極部１２〜１５と回路基板７との接続部分が、時計ガラス２を通して腕時計ケース１の外部から見えないので、その接続部分を隠す必要がなく、このため接続部分によって時計モジュール３に設けられた表示パネル１０の表示面積が制約を受けることがなく、十分な広さの表示面積を確保することができる。
【００３８】
（実施形態２）
次に、図４および図５を参照して、この発明を電子腕時計に適用した実施形態２について説明する。なお、図１〜図３に示された実施形態１と同一部分には同一符号を付して説明する。
この電子腕時計は、合成樹脂製の腕時計ケース１の内面に複数の電極部３１〜３４を設け、この複数の電極部３１〜３４をそれぞれ時計モジュール３の回路基板７に接触させて検出回路と電気的に接続させた構成で、これ以外は実施形態１と同じ構成なっている。
【００３９】
すなわち、腕時計ケース１における２時、４時、８時、１０時に対応する箇所の内面には、図４に示すように、複数の凹部３０ａ〜３０ｄがそれぞれ設けられており、この複数の凹部３０ａ〜３０ｄ内には、図４および図５に示すように、複数の電極部３１〜３４がそれぞれ嵌め込まれている。この複数の電極部３１〜３４は、それぞれ金属板をほぼコ字状に折り曲げ、その一端部に板ばね部３１ａ〜３４ａを延出させて形成し、この板ばね部３１ａ〜３４ａをそれぞれ回路基板７に接触させて電気的に接続するように構成されている。
【００４０】
この場合、回路基板７における２時、４時、８時、１０時に対応する箇所の端部には、図４および図５に示すように、切欠け部３５が複数の電極部３１〜３４に対応してそれぞれ設けられており、この各切欠け部３５の端部側面には、複数の電極部３１〜３４の各板ばね部３１ａ〜３４ａが弾接する電極パッド３６がそれぞれ設けられている。この複数の電極パッド３６は、それぞれ回路基板７の検出回路と電気的に接続されている。
【００４１】
なお、この場合にも、腕時計ケース１の外面には、タッチ部１８が複数の電極部３１〜３４に対応して設けられている。また、回路基板７のタッチスイッチの検出回路は、実施形態１と同じ回路構成になっている。
【００４２】
このような電子腕時計によれば、合成樹脂製の腕時計ケース１の内面に複数の電極部３１〜３４をそれぞれ回路基板７の検出回路と電気的に接続させて設け、複数の電極部３１〜３４を設けているので、実施形態１と同様、複数の電極部３１〜３４に対応する腕時計ケース１の外面に設けられた複数のタッチ部１８のいずれかを指などの人体の一部で触ると、電極部３１〜３４のうちのいずれかの静電容量が変化し、その静電容量の変化を回路基板７の検出回路で検出することにより、タッチスイッチ信号を得ることができる。
【００４３】
この場合には、複数の電極部３１〜３４が、それぞれ金属板をほぼコ字状に折り曲げて、その一部に板ばね部３１ａ〜３４ａを設けた構成で、合成樹脂製の腕時計ケース１の内面に設けられた凹部３０ａ〜３０ｄ内にそれぞれ嵌め込まれ、この状態で各板ばね部３１ａ〜３４ａが回路基板７の端部側面に設けられた電極パッド３６に接触して検出回路と電気的に接続されているので、金属板を折り曲げてなる複数の電極部３１〜３４を腕時計ケース１の内面に設けられた凹部３０ａ〜３０ｄ内に嵌め込むだけで、簡単に複数の電極部３１〜３４を腕時計ケース１の内面に取り付けることができる。
【００４４】
特に、腕時計ケース１の内面に凹部３０ａ〜３０ｄを設け、この凹部３０ａ〜３０ｄ内に金属板からなる電極部３１〜３４を嵌め込んでいるので、実施形態１と同様、電極部３１〜３４と腕時計ケース１の外表面との間の距離を短くすることができる。このため、静電容量変化を大きくすることができ、これにより静電容量の変化を検出しやすくすることができるので、正確に且つ確実にタッチスイッチ信号を得ることができる。
【００４５】
また、複数の電極部３１〜３４は、それぞれ金属板を折り曲げて、一端部に板ばね部３１ａ〜３４ａが延出して設けられているので、この各板ばね部３１ａ〜３４ａを回路基板７の端部側面に設けられた各電極パッド３６にそれぞれ弾接させるだけで、複数の電極部３１〜３４を回路基板７の検出回路と電気的に接続することができるので、電気的な接続作業も容易にできる。また、複数の電極部３１〜３４は、腕時計ケース１の複数箇所に設けられてそれぞれ回路基板７に電気的に接続されていることにより、実施形態１同様、複数の電極部３１〜３４と対応するいずれかのタッチ部１８を指などの人体の一部で触れることにより、静電容量の変化を検出回路で検出することができるので、タッチ操作性が良く、使い勝手の良いものを得ることができる。
【００４６】
さらに、この電子腕時計においても、腕時計ケース１の内面に静電容量検出用の複数の電極部３１〜３４を設けていることにより、この複数の電極部３１〜３４と回路基板７との接続部分が、時計ガラス２を通して腕時計ケース１の外部から見えないので、その接続部分を隠す必要がなく、このため接続部分によって時計モジュール３に設けられた表示パネル１０の表示面積が制約を受けることがなく、十分な広さの表示面積を確保することができる。
【００４７】
なお、上記実施形態２では、複数の電極部３１〜３４の各板ばね部３１ａ〜３４ａを、回路基板７の端部側面に設けられた各電極パッド３６に弾接させることにより、複数の電極部３１〜３４を回路基板７の検出回路と電気的に接続した場合について述べたが、これに限らず、例えば図６および図７に示した変形例のように構成しても良い。この変形例は、腕時計ケース１における２時、４時、８時、１０時に対応する箇所の内面に凹部４０ａ〜４０ｄをそれぞれ設け、この凹部４０ａ〜４０ｄ内にそれぞれ金属板からなる電極部４１〜４４をそれぞれ嵌め込み、この電極部４１〜４４をそれぞれ回路基板７の電極パッド４５に接触させた構成になっている。
【００４８】
この場合には、回路基板７の２時、４時、８時、１０時に対応する縁部の上面に、電極パッド４５がそれぞれ設けられている。また、電極部４１〜４４は、実施形態２と同様、金属板をほぼコ字状に折り曲げ、その一端部に板ばね部４１ａ〜４４ａを延出させて形成し、この板ばね部４１ａ〜４４ａを回路基板７の上面に対向させた状態で、腕時計ケース１の各凹部４０ａ〜４０ｄ内にそれぞれ嵌め込むことにより、各板ばね部４１ａ〜４４ａを回路基板７上の各電極パッド４５に接触させ、これにより回路基板７の検出回路と電気的に接続されるように構成されている。
【００４９】
このような構成でも、複数の電極部４１〜４４が金属板を折り曲げた構成で、腕時計ケース１の内面に設けられた凹部４０ａ〜４０ｄ内にそれぞれ嵌め込まれ、この状態で複数の電極部４１〜４４の各板ばね部４１ａ〜４４ａが回路基板７の上面に設けられた各電極パッド４５に接触して回路基板７の検出回路と電気的に接続されているので、実施形態２と同様、複数の電極部４１〜４４に対応する腕時計ケース１の外面に設けられた複数のタッチ部１８のいずれかを指などの人体の一部で触ると、電極部４１〜４４のうちのいずれかの静電容量が変化し、その静電容量の変化を回路基板７の検出回路で検出することにより、タッチスイッチ信号を得ることができる。
【００５０】
この場合にも、実施形態２と同様、複数の電極部４１〜４４は腕時計ケース１の内面に設けられた各凹部４０ａ〜４０ｄ内にそれぞれ嵌め込むだけで、簡単に複数の電極部４１〜４４を腕時計ケース１の内面に取り付けることができる。このときには、複数の電極部４１〜４４の各板ばね部４１ａ〜４４ａが回路基板７の縁部上に延びているので、各電極部４１〜４４の板ばね部４１ａ〜４４を回路基板７の上面に設けられた各電極パッド４５に簡単に接触させることができ、これにより複数の電極部４１〜４４を容易に回路基板７の検出回路と電気的に接続することができる。
【００５１】
また、この場合にも、腕時計ケース１の内面に凹部４０ａ〜４０ｄを設け、この凹部４０ａ〜４０ｄ内に金属板からなる電極部４１〜４４を嵌め込んでいるので、実施形態１および２と同様、電極部４１〜４４と腕時計ケース１の外表面との間の距離を短くすることができ、静電容量の変化を検出しやすくすることができる。また、複数の電極部４１〜４４と回路基板７との接続部分が腕時計ケース１の外部から見えないので、その接続部分を隠す必要がなく、このため接続部分によって時計モジュール３に設けられた表示パネル１０の表示面積が制約を受けることがなく、十分な広さの表示面積を確保することができる。
【００５２】
（実施形態３）
次に、図８および図９を参照して、この発明を電子腕時計に適用した実施形態３について説明する。この場合にも、図１〜図３に示された実施形態１と同一部分に同一符号を付して説明する。
この電子腕時計は、合成樹脂製の腕時計ケース１内の回路基板７に複数の電極部５１〜５４を腕時計ケース１の内面に対向させて設け、この腕時計ケース１の外面に複数の凹部５０ａ〜５０ｄを複数の電極部５１〜５４に対応させて設け、この複数の凹部５０ａ〜５０ｄ内にそれぞれ金属片５５を嵌め込んだ構成で、これ以外は実施形態１とほぼ同じ構成なっている。
【００５３】
この場合、複数の電極部５１〜５４は、図８および図９に示すように、それぞれ電極板からなり、回路基板７における２時、４時、８時、１０時に対応する箇所の縁部にそれぞれ設けられた電極端子部５６に半田などによって取り付けられ、この状態で電極板である電極部５１〜５４の各先端が腕時計ケース１の内面に沿って折り曲げられ、この折り曲げられた部分が腕時計ケース１の内面に対向した状態で配置されるように構成されている。この場合、複数の電極部５１〜５４がそれぞれ半田付けされた各電極端子部５６は、それぞれ回路基板７の検出回路と電気的に接続されている。
【００５４】
また、腕時計ケース１における２時、４時、８時、１０時に対応する箇所の外面には、図８に示すように、凹部５０ａ〜５０ｄがそれぞれ複数の電極部５１〜５４に対応して設けられている。この複数の凹部５０ａ〜５０ｄ内には、図８および図９に示すように、金属片５５がそれぞれ腕時計ケース１の外部に露出した状態で嵌め込まれている。そして、この金属片５５の外面側には、タッチ部１８がそれぞれ設けられている。
【００５５】
これにより、複数の電極部５１〜５４とこれに対応する複数の金属片５５とは、その間にコンデンサＣ１〜Ｃ４を形成するように構成されている。また、腕時計ケース１内に組み込まれた時計モジュール３の回路基板７に設けられた検出回路は、実施形態１と同じ回路構成になっている。
【００５６】
このような電子腕時計によれば、回路基板７に設けられた電極板からなる複数の電極部５１〜５４が腕時計ケース１の内面に対向して配置され、この腕時計ケース１の外面に複数の凹部５０ａ〜５０ｄが各電極部５１〜５４に対応して設けられ、この複数の凹部５０ａ〜５０ｄ内にそれぞれ金属片５５が嵌め込まれているので、実施形態１と同様、複数の電極部５１〜５４に対応する腕時計ケース１の外面に設けられた複数の金属片５５の各タッチ部１８のいずれかを指などの人体の一部で触ると、電極部５１〜５４のうちのいずれかの静電容量が変化し、その静電容量の変化を回路基板７の検出回路で検出することにより、タッチスイッチ信号を得ることができる。
【００５７】
この場合には、腕時計ケース１内の時計モジュール３に組み込まれる回路基板７に複数の電極部５１〜５４を設ければよいので、複数の電極部５１〜５４を簡単に設けることができると共に、複数の電極部５１〜５４と回路基板７の検出回路との電気的な接続が容易にでき、接続作業性の良いものを得ることができる。また、この複数の電極部５１〜５４を、腕時計ケース１の外面に設けられた複数の凹部５０ａ〜５０ｄ内にそれぞれ嵌め込まれた金属片５５に対応させるだけでよいので、簡単に取り付けられる。
【００５８】
また、この場合にも、腕時計ケース１の外面に凹部５０ａ〜５０ｄが電極部５１〜５４に対応して設けられ、この凹部５０ａ〜５０ｄ内にそれぞれ金属片５５が嵌め込まれているので、腕時計ケース１の内面に対向する電極部５１〜５４と腕時計ケース１の外部に露出する各金属片５５との間の距離を短くすることができる。このため、実施形態１および２と同様、静電容量変化を大きくすることができ、これにより静電容量の変化を検出しやすくすることができるので、正確に且つ確実にタッチスイッチ信号を得ることができる。
【００５９】
さらに、この電子腕時計でも、腕時計ケース１の内面に静電容量検出用の複数の電極部５１〜５４を設けていることにより、この複数の電極部５１〜５４と回路基板７との接続部分が、時計ガラス２を通して腕時計ケース１の外部から見えないので、その接続部分を隠す必要がなく、このため接続部分によって時計モジュール３に設けられた表示パネル１０の表示面積が制約を受けることがなく、十分な広さの表示面積を確保することができる。
【００６０】
なお、上記実施形態１〜３およびその変形例では、腕時計ケース１内に組み込まれる時計モジュール３が表示パネル１０を備えた場合について述べたが、これに限らず、時計モジュールは、時針、分針、秒針などの指針を運針させて時刻を指示する時計ムーブメントを備えたものでも良く、また表示パネル１０と時計ムーブメントとの両方を備えたものでも良い。
【００６１】
また、上記実施形態１〜３およびその変形例では、回路基板７の検出回路が常に動作するように構成されている場合について述べたが、これに限らず、例えば腕時計ケース１内に傾斜スイッチを設けたり、また裏蓋４に感圧スイッチを設けたりすることにより、腕時計ケース１を腕に取り付けて使用するときにのみ、回路基板７の検出回路が動作するように構成することが望ましい。このように構成すれば、検出回路の消費電力を大幅に軽減することができる。
【００６２】
さらに、上記実施形態１〜３およびその変形例では、電子腕時計に適用した場合について述べたが、必ずしも電子腕時計である必要はなく、トラベルウオッチ、目覚まし時計、置き時計、掛け時計などの電子時計にも適用することができるほか、これに限らず、携帯電話機、ＰＤＡ（パーソナル・デジタル・アシスタント）などの各種の電子機器に広く適用することができる。
【図面の簡単な説明】
【００６３】
【図１】この発明を適用した電子腕時計の拡大断面図である。（実施形態１）
【図２】図１のＡ−Ａ矢視における横断面図である。
【図３】図１および図２のタッチスイッチの回路構成を示した図である。
【図４】この発明を適用した電子腕時計の横断面図である。（実施形態２）
【図５】図４のＢ−Ｂ矢視における断面図である。
【図６】実施形態２の変形例を示した横断面図である。
【図７】図６のＣ−Ｃ矢視における断面図である。
【図８】この発明を適用した電子腕時計の横断面図である。（実施形態３）
【図９】図８のＤ−Ｄ矢視における断面図である。
【符号の説明】
【００６４】
１  腕時計ケース
２  時計ガラス
３  時計モジュール
７  回路基板
９  検出素子
１０  表示パネル
１２〜１５、３１〜３４、４１〜４４、５１〜５４  電極部
１６ａ〜１６ｄ  ねじ穴
１７  接点板
１８  タッチ部
２１〜２４  ＣＲ発振回路
２５  カウンタ
２６  タイマー
２７  制御回路
３０ａ〜３０ｄ、４０ａ〜４０ｄ、５０ａ〜５０ｄ  凹部
３１ａ〜３４ａ、４１ａ〜４４ａ  板ばね部
３６、４５  電極パッド
５５  金属片
５６  電極端子部
Ｃ１〜Ｃ４  コンデンサ
【図１】
2007170994.tif 000003
【図２】
2007170994.tif 000004
【図３】
2007170994.tif 000005
【図４】
2007170994.tif 000006
【図５】
2007170994.tif 000007
【図６】
2007170994.tif 000008
【図７】
2007170994.tif 000009
【図８】
2007170994.tif 000010
【図９】
2007170994.tif 000011